(57)【要約】【課題】利用者が着座した際にきしみ音が発生することを防止でき、ボウル部をスカート部に容易且つ強固に固定できる便器及び便器の製造方法を提供する。【解決手段】合成樹脂製のスカート部５、ボウル部２、リム部６を備える。スカート部５の内面に上端がスカート部５の上端よりも下方に位置する縦リブ１３を一体に突設する。縦リブ１３上にボウル部２の上フランジ部１６を載置する。縦リブ１３の上端に形成した嵌合凸部２４又は嵌合凹部を形成する。ボウル部２の上フランジ部１６の下面に被嵌合凹部２６又は被嵌合凸部を形成する。嵌合凸部２４を被嵌合凹部２６に又は嵌合凹部を被嵌合凸部に凹凸嵌合する。【選択図】        図１
2009174268.tif 000002
【特許請求の範囲】
【請求項１】
合成樹脂製のスカート部と、スカート部の上部内に配置される合成樹脂製のボウル部と、ボウル部の上縁部及びスカート部の上縁部に溶着一体化される合成樹脂製のリム部を備え、ボウル部の上開口の周囲に外側に向けて上フランジ部を一体に連出し、上記スカート部の内面に上端がスカート部の上端よりも下方に位置する縦リブを一体に突設し、前記縦リブの上端に上方に突出する嵌合凸部又は下方に凹没する嵌合凹部を形成し、ボウル部の上フランジ部の下面に被嵌合凹部又は被嵌合凸部を形成し、前記嵌合凸部を被嵌合凹部に又は前記嵌合凹部を被嵌合凸部に嵌合することを特徴とする便器。
【請求項２】
上記上フランジ部の下面に縦リブ嵌合溝部を形成し、縦リブの上端部を縦リブ嵌合溝部に嵌め込み、該縦リブ嵌合溝部に嵌め込まれる縦リブの上端に上記嵌合凸部又は嵌合凹部を形成することを特徴とする請求項１に記載の便器。
【請求項３】
合成樹脂製のスカート部と、スカート部の上部内に配置される合成樹脂製のボウル部と、ボウル部の上縁部及びスカート部の上縁部に溶着一体化される合成樹脂製のリム部を備えた便器の製造方法において、ボウル部の上開口の周囲に外側に向けて一体に連出した上フランジ部と、スカート部の内面に一体に突設した上端がスカート部の上端よりも下方に位置する縦リブと、縦リブの上端に形成した上方に突出する嵌合凸部又は下方に凹没する嵌合凹部と、ボウル部の上フランジ部の下面に形成した被嵌合凹部又は被嵌合凸部を備え、前記嵌合凸部を被嵌合凹部に又は前記嵌合凹部を被嵌合凸部に凹凸嵌合した状態で、リム部をボウル部の上縁部及びスカート部の上縁部に溶着一体化することを特徴とする便器の製造方法。
【発明の詳細な説明】
【技術分野】
【０００１】
本発明はスカート部、ボウル部、リム部の三者の合成樹脂製部品を溶着一体化した便器に関する。
【背景技術】
【０００２】
例えば特許文献１には、合成樹脂製のスカート部と、スカート部の上部内に配置される合成樹脂製のボウル部と、ボウル部の上縁部及びスカート部の上縁部に溶着一体化された合成樹脂製のリム部を備えた樹脂製の便器が開示してある。
【０００３】
この便器は、便器に着座した利用者からの荷重を受けるリム部をスカート部の上縁部で支持している。また、リム部をスカート部の上縁部で支持しただけでは厚みの薄いスカート部が変形したり破損したりする恐れがある。このため、上記ボウル部はスカート部の内面から一体に突出したスカート部補強用の縦リブ上に載置支持してあり、これによりリム部の荷重をボウル部を介してスカート部の縦リブで受けている。
【０００４】
ところで上記ボウル部をスカート部の縦リブに対して水平方向に位置決めしなかった場合には、便器利用者が便器に着座した際に、ボウル部がスカート部の縦リブ上で擦れて「きしみ音」が発生する恐れがある。
【０００５】
また上記きしみ音の発生を抑えるには縦リブの上端とボウル部を接着剤で接着してボウル部を縦リブに対して固定することが考えられるが、この場合、便器の製造に手間がかかり、また、接着剤ではボウル部を縦リブに対して強固に固定することが難しいという問題もある。
【特許文献１】特開２００６−３２８８２７号公報
【発明の開示】
【発明が解決しようとする課題】
【０００６】
本発明は上記従来の問題点に鑑みてなされたものであって、利用者が着座した際にボウル部の上フランジ部がスカート部の縦リブ上で擦れて「きしみ音」が発生することを防止でき、尚且つ、ボウル部の上フランジ部をスカート部の縦リブに対して容易且つ強固に固定できる便器及び便器の製造方法を提供することを課題とするものである。
【課題を解決するための手段】
【０００７】
上記課題を解決するために、本発明の請求項１に係る便器は、合成樹脂製のスカート部５と、スカート部５の上部内に配置される合成樹脂製のボウル部２と、ボウル部２の上縁部及びスカート部５の上縁部に溶着一体化される合成樹脂製のリム部６を備え、ボウル部２の上開口の周囲に外側に向けて上フランジ部１６を一体に連出し、上記スカート部５の内面に上端がスカート部５の上端よりも下方に位置する縦リブ１３を一体に突設し、前記縦リブ１３の上端に上方に突出する嵌合凸部２４又は下方に凹没する嵌合凹部を形成し、ボウル部２の上フランジ部１６の下面に被嵌合凹部２６又は被嵌合凸部を形成し、前記嵌合凸部２４を被嵌合凹部２６に又は前記嵌合凹部を被嵌合凸部に凹凸嵌合することを特徴とする。
【０００８】
また、請求項２に係る便器は、請求項１において、上記上フランジ部１６の下面に縦リブ嵌合溝部２５を形成し、縦リブ１３の上端部を縦リブ嵌合溝部２５に嵌め込み、該縦リブ嵌合溝部２５に嵌め込まれる縦リブ１３の上端に上記嵌合凸部２４又は嵌合凹部を形成することを特徴とする。
【０００９】
また、請求項３に係る便器の製造方法は、合成樹脂製のスカート部５と、スカート部５の上部内に配置される合成樹脂製のボウル部２と、ボウル部２の上縁部及びスカート部５の上縁部に溶着一体化される合成樹脂製のリム部６を備えた便器の製造方法において、ボウル部２の上開口の周囲に外側に向けて一体に連出した上フランジ部１６と、スカート部５の内面に一体に突設した上端がスカート部５の上端よりも下方に位置する縦リブ１３と、縦リブ１３の上端に形成した上方に突出する嵌合凸部２４又は下方に凹没する嵌合凹部と、ボウル部２の上フランジ部１６の下面に形成した被嵌合凹部２６又は被嵌合凸部を備え、前記嵌合凸部２４を被嵌合凹部２６に又は前記嵌合凹部を被嵌合凸部に凹凸嵌合した状態で、リム部６をボウル部２の上縁部及びスカート部５の上縁部に溶着一体化することを特徴とする。
【発明の効果】
【００１０】
請求項１に係る発明は、嵌合凸部を被嵌合凹部に又は前記嵌合凹部を被嵌合凸部に嵌合することで、ボウル部の上フランジ部をスカート部の縦リブに対して水平方向に位置決めでき、利用者が着座した際に、ボウル部の上フランジ部がスカート部の縦リブ上で擦れて「きしみ音」が発生することを防止できる。また、嵌合凸部を被嵌合凹部に又は前記嵌合凹部を被嵌合凸部に嵌合するだけで、ボウル部の上フランジ部をスカート部の縦リブに対して容易且つ強固に固定できる。
【００１１】
また、リム部をスカート部及びボウル部に溶着する際には、嵌合凸部を被嵌合凹部に嵌め込み、上フランジ部をスカート部の縦リブに対して水平方向に位置決めでき、リム部を所定位置に確実に溶着することができる。
【００１２】
また請求項２に係る発明は、請求項１に係る発明の効果に加えて、上フランジ部の下面に縦リブ嵌合溝部を形成し、縦リブの上端部を縦リブ嵌合溝部に嵌め込むことによっても、ボウル部の上フランジ部をスカート部の縦リブに対して水平方向に位置決めでき、ボウル部の上フランジ部をスカート部の縦リブに対してより強固に固定できる。
【００１３】
また請求項３に係る発明は、嵌合凸部を被嵌合凹部に又は前記嵌合凹部を被嵌合凸部に嵌合することで、便器におけるボウル部の上フランジ部をスカート部の縦リブに対して水平方向に位置決めでき、「きしみ音」が発生することを防止できる。また、嵌合凸部を被嵌合凹部に又は前記嵌合凹部を被嵌合凸部に嵌合するだけで、ボウル部の上フランジ部をスカート部の縦リブに対して容易且つ強固に固定できる。また、リム部をスカート部及びボウル部に溶着する際には、嵌合凸部を被嵌合凹部に嵌め込み、上フランジ部をスカート部の縦リブに対して水平方向に位置決めでき、リム部を所定位置に確実に溶着することができる。
【発明を実施するための最良の形態】
【００１４】
以下、本発明を添付図面に示す実施形態に基いて説明する。
【００１５】
便器１は、図１に示すように、ボウル部２を備えた前パーツ３と、後パーツ４を備え、前パーツ３によって便器１の主体部が構成される。
【００１６】
図３に示すように、前パーツ３は、トイレの床に設置されるスカート部５と、スカート部５内の上部に嵌め込まれるボウル部２と、ボウル部２の上部に嵌め込まれるリム部６とで構成してある。スカート部５、ボウル部２、リム部６は夫々別々に合成樹脂により成形される。
【００１７】
また、後パーツ４は、便器１の後部上方を覆う上カバー７、図示しない便器１の後部背方を覆うリアカバー、便器１の後上部側方を覆う上サイドカバー９、後下部側方を覆う下サイドカバー１０を備えている。上カバー７には便座１１、便蓋１２が回動自在に取付けてあり、後パーツ４を構成する、上カバー７、リアカバー、上サイドカバー９、下サイドカバー１０、便座１１、便蓋１２はいずれも合成樹脂製である。
【００１８】
スカート部５は上下及び後方が開口した水平断面略Ｃ字状に形成してある。スカート部５の内面には周方向に複数個の縦リブ１３を一体に突設してある。縦リブ１３によりスカート部５は補強される。縦リブ１３の上端はスカート部５の内面の上部に位置しているが、スカート部５の上端よりも下方に位置している。これら複数の縦リブ１３のうち大半の縦リブ１３はスカート部５の内面の下部にまで至っている。
【００１９】
図６に示すように、スカート部５の内面上部にはスカート部５の壁厚が下方に行くに従って徐々に薄くなった凹所１４を周方向に形成してある。凹所１４の底は水平な載置面１５となっている。
【００２０】
図３に示すようにボウル部２の上開口の周囲にはボウル部２の上縁部から外側に向けて突出する上フランジ部１６を一体に設けてある。上フランジ部１６はボウル部２の上開口縁部を構成する。上フランジ部１６の外縁部は上記スカート部５の内面上部の周方向に設けた凹所１４に嵌まり、載置面１５上に載置され、また、上フランジ部１６は上記スカート部５の各縦リブ１３上に載置される。これによりボウル部２はスカート部５で支持される。
【００２１】
ボウル部２の底部には図示しないトラップの一端部が接続される排水筒部１７を形成してあり、ボウル部２内の水は排水筒部１７を経て排出される。また、ボウル部２の上端部には便器１に内装した図示しない温水洗浄装置の浄用ノズルを嵌め込むための筒部１８を設けてあり、該筒部１８に嵌め込まれたボウル洗浄用ノズルから噴出した洗浄水によってボウル部２の内面が洗浄される。
【００２２】
図１に示すようにリム部６の後部の内周面には洗浄ノズル用開口部１９と送風用開口部２０を設けてある。洗浄ノズル用開口部１９は温水洗浄装置に設けた局部洗浄用ノズルをボウル部２内に出し入れするための開口である。送風用開口部２０は便器１に内装した図示しない送風装置のダクト先端部から噴出する風をボウル部２内に吹き出すための開口である。
【００２３】
図２のようにリム部６の下面部の外周には平面視Ｕ字状の下設置用鍔２１を設けている。リム部６の上面部外周には平面視Ｕ字状の上設置用鍔２２を設けている。下設置用鍔２１及び上設置用鍔２２の夫々はボウル部２の上フランジ部１６及びスカート部５の上縁部に載置され、溶着一体化される。これによりリム部６はスカート部５及びボウル部２によって支持される。即ち、リム部６はスカート部５の上縁部によって直接支持されると共に、ボウル部２を介してスカート部５の載置面１５及び縦リブ１３によって支持される。
【００２４】
ここで、図４乃至図６に示すように上記スカート部５に形成した上下に伸びる縦リブ１３のうち任意の縦リブ１３の上端部は上フランジ部１６が載置される載置面１５よりも上方に突出した嵌込部２３となっている。さらに、嵌込部２３の一部は他部よりも上方に突出した嵌合凸部２４となっている。嵌合凸部２４はスカート部５から内側に向けて突出した嵌込部２３の先端部（即ち内側の端部）から上方に突出している。嵌合凸部２４は水平断面矩形状をしている。
【００２５】
一方、ボウル部２の上フランジ部１６の下面における上記縦リブ１３の嵌込部２３に対応する箇所には縦リブ嵌合溝部２５を形成している。縦リブ嵌合溝部２５は対応する縦リブ１３と平行となるよう上フランジ部１６の外縁から内側に向かって伸びている。縦リブ嵌合溝部２５の幅は対応する縦リブ１３の嵌込部２３の幅と略同じである。図示例の縦リブ嵌合溝部２５は下方及び長手方向の一端側であるボウル部２の外側方向にのみ開口し、長手方向の他端側は閉塞されている。なお、縦リブ嵌合溝部２５は下方にのみ開口するものであっても良いものとする。
【００２６】
さらに、縦リブ嵌合溝部２５の上記嵌合凸部２５に対応する箇所、即ち、長手方向におけるボウル部２側の端部には他部よりも上方に凹む被嵌合凹部２６を形成している。被嵌合凹部２６の断面形状は嵌合凸部２４と合致する断面矩形状となっている。
【００２７】
既述のようにリム部６はボウル部２の上縁部及びスカート部５の上縁部に溶着してあり、これによりスカート部５、ボウル部２、リム部６の３者が一体化されている。スカート部５、ボウル部２、リム部６の３者を溶着一体化して便器１の主体部である前パーツ３を形成するには、以下のように行う。
【００２８】
まず、スカート部５内に上方からボウル部２を挿入し、上フランジ部１６の外縁部を載置面上に載置し、上フランジ部１６をスカート部５の縦リブ１３上に載置する。この時、嵌込部２３及び嵌合凸部２４を形成した縦リブ１３にあっては、嵌込部２３が上方に配置された上フランジ部１６の縦リブ嵌合溝部２５に嵌め込まれる。また、嵌込部２３から上方に一部突出する嵌合凸部２４をボウル部２の上フランジ部１６の被嵌合凹部２６に嵌め込む。また、嵌込部２３及び嵌合凸部２４の夫々の上端面が縦リブ嵌合溝部２５の上底面に当接する。なお、本実施形態では嵌込部２３及び嵌合凸部２４の両方の上端面が縦リブ嵌合溝部２５の上底面に当接するが、嵌込部２３又は嵌合凸部２４のうち一方の上端面のみが縦リブ嵌合溝部２５の上底面に当接するものであっても良いものとする。
【００２９】
次に、スカート部５内に上方からリム部６を挿入し、リム部６の下設置用鍔２１をボウル部２の上フランジ部１６上に載置し、リム部６の上設置用鍔２２をスカート部５の上縁部上に載置する。そして、この状態で、リム部６の下設置用鍔２１をボウル部２の上フランジ部１６との接触部分で溶着すると共に、リム部６の上設置用鍔２２をスカート部５の上縁部との接触部分で溶着する。
【００３０】
このように本実施形態の便器１は、スカート部５の縦リブ１３の上端から上方に突出する嵌合凸部２４をボウル部２の上フランジ部１６の下面に形成した被嵌合凹部２６に嵌め込んであり、この嵌め込みにより、ボウル部２の上フランジ部１６をスカート部５の縦リブ１３に対して水平方向に位置決めしている。即ち、ボウル部２の上フランジ部１６を図４中ａ、ｂに示す縦リブ１３の厚み方向及びｃ、ｄに示す縦リブ１３の幅方向に位置決めしている。
【００３１】
従って、リム部６の上設置用鍔２２上に載置された便座１１上に利用者が着座した際に、ボウル部２の上フランジ部１６がスカート部５の縦リブ１３上で擦れて「きしみ音」が発生することを防止できる。また、嵌合凸部２４を被嵌合凹部２６に嵌め込むだけで、ボウル部２の上フランジ部１６をスカート部５の縦リブ１３に対して容易且つ強固に固定できる。
【００３２】
また、既述のようにリム部６をスカート部５及びボウル部２に溶着する際には、嵌合凸部２４を被嵌合凹部２６に嵌め込み、上フランジ部１６をスカート部５の縦リブ１３に対して溶着箇所に近い箇所で水平方向に位置決めできる。従って、リム部６を所定位置に確実に溶着することができる。
【００３３】
また、本実施形態の便器１は、上記嵌合凸部２４を形成した縦リブ１３の上端部を構成する嵌込部２３を上フランジ部１６の下面に形成した縦リブ嵌合溝部２５に嵌め込んであり、この嵌め込みによりボウル部２の上フランジ部１６をスカート部５の縦リブ１３に対して図４中ａ、ｂ、ｃの方向に移動することを防止している。このためよりボウル部２の上フランジ部１６をスカート部５の縦リブ１３に対してより強固に固定できる。
【００３４】
また、上記リム部６の下設置用鍔２１をボウル部２の上フランジ部１６に溶着する際には、例えば上フランジ部１６と該上フランジ部１６の上方に配置した下設置用鍔２１の間に加熱板等の加熱部材を配置し、この加熱部材を加熱装置により加熱することで、上フランジ部１６と下設置用鍔２１の溶着予定箇所を加熱溶融し、この後、上フランジ部１６と下設置用鍔２１の溶融箇所同士を当接する。
【００３５】
この場合、上記被嵌合凹部２６やこれに嵌め込まれた嵌合凸部２４は前記加熱部材によって加熱される上フランジ部１６の上面に近い位置に配置される。従って、上記上フランジ部１６及び下設置用鍔２１の加熱溶融時の加熱部材の熱により、嵌合凸部２４やこの近傍部分を加熱溶融し、これにより被嵌合凹部２６と嵌合凸部２４を溶着して、上フランジ部１６と縦リブ１３を強固に固着することも可能となる。
【００３６】
なお、上記実施形態では縦リブ１３の上端に上方に突出する嵌合凸部２４を形成し、ボウル部２の上フランジ部１６の下面に前記嵌合凸部２４に凹凸嵌合する被嵌合凹部２６を形成した。しかし、上記縦リブ１３の上端に下方に凹没する嵌合凹部（図示せず）を形成し、ボウル部２の上フランジ部１６の下面に前記嵌合凹部に凹凸嵌合する被嵌合凸部（図示せず）を形成し、前記嵌合凹部を被嵌合凸部に嵌合しても良い。
【００３７】
また、上記嵌合凸部２４又は嵌合凹部は上記複数の縦リブ１３の全てに設けても良いし、また、これら複数の縦リブ１３のうち１以上の任意の縦リブ１３にのみ設け、嵌合凸部２４や嵌合凹部を形成しない縦リブ１３が存在しても良い。
【図面の簡単な説明】
【００３８】
【図１】本発明の実施形態の一例を示す便器の全体斜視図である。
【図２】同上の便器の前パーツの正面断面図である。
【図３】同上の前パーツの分解斜視図である。
【図４】同上の縦リブと上フランジ部の嵌合部分を示す斜視図である。
【図５】同上のスカート部の縦リブを示す斜視図である。
【図６】同上の縦リブと上フランジ部の嵌合部分における要部断面図である。
【符号の説明】
【００３９】
１  便器
２  ボウル部
５  スカート部
６  リム部
１３  縦リブ
１６  上フランジ部
２４  嵌合凸部
２６  被嵌合凹部
【図１】
2009174268.tif 000003
【図２】
2009174268.tif 000004
【図３】
2009174268.tif 000005
【図４】
2009174268.tif 000006
【図５】
2009174268.tif 000007
【図６】
2009174268.tif 000008